(57)【要約】【課題】ＣＳＭＡ／ＣＡを用いた無線通信において、使用する無線周波数帯域の違いによって生じる、無線通信装置の送信機会の不公平を抑制すること。【解決手段】全ての周波数チャネルに対してキャリアセンスを行い、自装置が使用する周波数チャネルの周波数帯域と、他装置が使用する周波数チャネルの周波数帯域との競合状況を判断するキャリアセンス部と、前記キャリアセンス部が判断した前記競合状況に応じて待機時間の長さを制御する制御部と、自装置が使用する周波数チャネルがアイドル状態となってから、前記待機時間を待機した後、前記周波数チャネルがアイドル状態であれば、前記周波数チャネルを使用してデータを送信する送信部と、を備える。【選択図】図４
2015204552.tif 000002
【特許請求の範囲】
【請求項１】
全ての周波数チャネルに対してキャリアセンスを行い、自装置が使用する周波数チャネルの周波数帯域と、他装置が使用する周波数チャネルの周波数帯域との競合状況を判断するキャリアセンス部と、
前記キャリアセンス部が判断した前記競合状況に応じて待機時間の長さを制御する制御部と、
自装置が使用する周波数チャネルがアイドル状態となってから、前記待機時間を待機した後、前記周波数チャネルがアイドル状態であれば、前記周波数チャネルを使用してデータを送信する送信部と、を備える、
無線通信装置。
【請求項２】
前記キャリアセンス部によって判断された前記競合状況に基づいて、前記制御部は、競合が大きいほど前記待機時間の長さが短くなる方向に制御する、
請求項１に記載の無線通信装置。
【請求項３】
前記制御部は、前記競合状況に応じて、自装置に設定されている前記待機時間を決定するためのパラメータに重み付けし、自装置に設定されているパラメータを重み付けされた前記パラメータで更新することによって、前記待機時間の長さを制御する、
請求項１又は２に記載の無線通信装置。
【請求項４】
前記キャリアセンス部は、前記競合状況を、競合のない第１の状況と、周波数帯域の下限方向又は上限方向の一方向側でのみ周波数帯域が競合する第２の状況と、周波数帯域の下限方向及び上限方向の両方向側で周波数帯域が競合する第３の状況と、に分類し、
前記制御部は、前記競合状況が前記第１の状況にあるとき、前記待機時間の長さが維持されるように前記パラメータを重み付けし、前記競合状況が前記第２の状況にあるとき、前記待機時間の長さが短くなるように前記パラメータを重み付けし、前記競合状況が前記第３の状況にあるとき、前記待機時間の長さがさらに短くなるように前記パラメータを重み付けする、
請求項１から３のいずれか一項に記載の無線通信装置。
【請求項５】
全ての周波数チャネルに対してキャリアセンスを行い、自装置が使用する周波数チャネルの周波数帯域と、他装置が使用する周波数チャネルの周波数帯域との競合状況を判断するキャリアセンスステップと、
前記キャリアセンスステップにおいて判断された前記競合状況に応じて待機時間の長さを制御する制御ステップと、
自装置が使用する周波数チャネルがアイドル状態となってから、前記待機時間を待機した後、前記周波数チャネルがアイドル状態であれば、前記周波数チャネルを使用してデータを送信する送信ステップと、を有する、
通信制御方法。
【発明の詳細な説明】
【技術分野】
【０００１】
本発明は、ＣＳＭＡ／ＣＡを用いた無線通信技術に関する。
【背景技術】
【０００２】
ＣＳＭＡ／ＣＡ（Carrier Sense Multiple Access with Collision Avoidance）を用いた無線通信システムでは、送信するデータを有する無線通信装置が、キャリアセンスを行って他の無線通信装置が送信を行っていなければ送信機会を取得する。また、他の無線通信装置が送信を行っているときは、バックオフ時間ＴＢ（待機時間の一例）の待機の後に、送信機会を取得してデータの送信を行う。無線通信装置は、送信機会を取得した後にデータを送信し、データの送信が終われば通信を終了する（非特許文献１）。
【０００３】
ここで、バックオフ時間ＴＢは、バックオフパラメータに基づいてランダムに生成される時間である。バックオフパラメータには、バックオフスロット長ＬＳと、バックオフスロット数の最大値Ｃｍａｘと、バックオフスロット数の最小値Ｃｍｉｎとが含まれる。バックオフ時間ＴＢは、ＣｍｉｎからＣｍａｘまでの数値の中からランダムに選択されるバックオフスロット数Ｃと、バックオフスロット長ＬＳとの乗算によって得られる。
【０００４】
図７は、バックオフ時間ＴＢの概要を示す概略図である。
図７において、ＬＳは、バックオフスロット長を表す。ＴＢ３は、バックオフスロット数Ｃの値に３が選択された場合のバックオフ時間である。このとき、バックオフ時間ＴＢ３は、バックオフスロット長ＬＳの３倍の長さの時間として生成される。同様に、ＴＢ５は、バックオフスロット数Ｃの値に５が選択された場合のバックオフ時間である。このとき、バックオフ時間ＴＢ５は、バックオフスロット長ＬＳの５倍の長さの時間として生成される。なお、図７においては、説明を簡単にするために、ＩＦＳ（Inter Frame Space）等の調整時間を省略している。
【０００５】
図８は、ＣＳＭＡ／ＣＡにおけるデータ送信の概要を示す概略図である。
図８において、横軸は時間を表す。図８には、無線通信装置１及び無線通信装置２がデータの送信機会を取得する様子が示されている。図８において、搬送路の状態は、時刻ｔ１から時刻ｔ２において無線通信装置１によってデータ送信（データ送信１）が行われておりビジー状態となっている。無線通信装置１は、時刻ｔ２において搬送路がアイドル状態になると、バックオフ時間ＴＢ１１を生成する。そして、バックオフ時間ＴＢ１１の間、キャリアセンスを継続しデータ送信を待機する。同様に、無線通信装置２は、時刻ｔ２において搬送路がアイドル状態になると、バックオフ時間ＴＢ２１を生成する。そして、バックオフ時間ＴＢ２１の間、キャリアセンスを継続しデータ送信を待機する。無線通信装置１及び無線通信装置２は、自装置のバックオフ時間を待機した後、搬送路の状態がアイドル状態であればデータの送信機会を得て、データ送信を開始する。
【０００６】
図７の例に示したように、バックオフ時間ＴＢは、ランダムに生成される時間である。図８の例は、無線通信装置１が生成したバックオフ時間ＴＢ１１は、無線通信装置２が生成したバックオフ時間ＴＢ２１よりも長い時間として生成されたことを示している。そのため、無線通信装置２が、データの送信機会を得て、時刻ｔ３から時刻ｔ４の間データ送信（データ送信２）を行っている。
【０００７】
無線通信装置２のデータ送信（データ送信２）が終了して、時刻ｔ４において搬送路が再度アイドル状態になると、無線通信装置１は、バックオフ時間ＴＢ１２を生成する。そして、バックオフ時間ＴＢ１２の間、キャリアセンスを継続しデータ送信を待機する。同様に、無線通信装置２は、時刻ｔ４において搬送路がアイドル状態になると、バックオフ時間ＴＢ２２を生成する。そして、バックオフ時間ＴＢ２２の間、キャリアセンスを継続しデータ送信を待機する。無線通信装置１及び無線通信装置２は、自装置のバックオフ時間を待機した後、搬送路の状態がアイドル状態であればデータの送信機会を得て、データ送信を開始する。
【０００８】
図８の例は、無線通信装置１が生成したバックオフ時間ＴＢ１２は、無線通信装置２が生成したバックオフ時間ＴＢ２２よりも短い時間として生成されたことを示している。そのため、無線通信装置１が、データの送信機会を得て、時刻ｔ５から時刻ｔ６の間データ送信（データ送信３）を行っている。
【０００９】
このように、ＣＳＭＡ／ＣＡでは、バックオフ時間ＴＢが共通のバックオフパラメータに基づいてランダムに生成されることによって、各無線通信装置が公平にデータの送信機会を得られるように制御される。
【先行技術文献】
【非特許文献】
【００１０】
【非特許文献１】IEEE Standard for Information technology-Telecommunications and information exchange between systems-Local and metropolitan area networks-Specific requirements Part 11: Wireless LAN Medium Access Control (MAC) and Physical Layer (PHY) Specifications, 12 June 2007
【発明の概要】
【発明が解決しようとする課題】
【００１１】
しかしながら、従来方式では、使用する無線周波数帯域によって、送信機会を得やすい無線通信装置と送信機会を得にくい無線通信装置とが発生し、送信機会の公平性が保たれない場合がある。
【００１２】
上記事情に鑑み、本発明は、ＣＳＭＡ／ＣＡを用いた無線通信において、使用する無線周波数帯域の違いによって生じる、無線通信装置の送信機会の不公平を抑制する技術を提供することを目的としている。
【課題を解決するための手段】
【００１３】
本発明の一態様は、全ての周波数チャネルに対してキャリアセンスを行い、自装置が使用する周波数チャネルの周波数帯域と、他装置が使用する周波数チャネルの周波数帯域との競合状況を判断するキャリアセンス部と、前記キャリアセンス部が判断した前記競合状況に応じて待機時間の長さを制御する制御部と、自装置が使用する周波数チャネルがアイドル状態となってから、前記待機時間を待機し後、前記周波数チャネルがアイドル状態であれば、前記周波数チャネルを使用してデータを送信する送信部と、を備える、無線通信装置である。
【００１４】
本発明の一態様は、上記の無線通信装置であって、前記キャリアセンス部によって判断された前記競合状況に基づいて、前記制御部は、競合が大きいほど前記待機時間の長さが短くなる方向に制御する。
【００１５】
本発明の一態様は、上記の無線通信装置であって、前記制御部は、前記競合状況に応じて、自装置に設定されている前記待機時間を決定するためのパラメータに重み付けし、自装置に設定されているパラメータを重み付けされた前記パラメータで更新することによって、前記待機時間の長さを制御する。
【００１６】
本発明の一態様は、上記の無線通信装置であって、前記キャリアセンス部は、前記競合状況を、競合のない第１の状況と、周波数帯域の下限方向又は上限方向の一方向側でのみ周波数帯域が競合する第２の状況と、周波数帯域の下限方向及び上限方向の両方向側で周波数帯域が競合する第３の状況と、に分類し、前記制御部は、前記競合状況が前記第１の状況にあるとき、前記待機時間の長さが維持されるように前記パラメータを重み付けし、前記競合状況が前記第２の状況にあるとき、前記待機時間の長さが短くなるように前記パラメータを重み付けし、前記競合状況が前記第３の状況にあるとき、前記待機時間の長さがさらに短くなるように前記パラメータを重み付けする。
【００１７】
本発明の一態様は、全ての周波数チャネルに対してキャリアセンスを行い、自装置が使用する周波数チャネルの周波数帯域と、他装置が使用する周波数チャネルの周波数帯域との競合状況を判断するキャリアセンスステップと、前記キャリアセンスステップにおいて判断された前記競合状況に応じて待機時間の長さを制御する制御ステップと、自装置が使用する周波数チャネルがアイドル状態となってから、前記待機時間を待機し後、前記周波数チャネルがアイドル状態であれば、前記周波数チャネルを使用してデータを送信する送信ステップと、を有する、通信制御方法である。
【発明の効果】
【００１８】
本発明によれば、ＣＳＭＡ／ＣＡを用いた無線通信において、使用する無線周波数帯域の違いによって生じる、無線通信装置の送信機会の不公平を抑制することができる。
【図面の簡単な説明】
【００１９】
【図１】実施形態の無線通信システム１のシステム構成を示すシステム構成図。
【図２】無線通信装置１０が使用するチャネルの周波数帯域の具体例を示す図。
【図３】無線通信装置１０のデータ送信における動作例を示す図。
【図４】無線通信装置１０の機能構成を示す機能ブロック図。
【図５】チャネルの競合状況のパターンの具体例を示す図。
【図６】実施形態の無線通信装置１０の処理の流れを示すフローチャート。
【図７】バックオフ時間ＴＢの概要を示す概略図。
【図８】ＣＳＭＡ／ＣＡにおけるデータ送信の概要を示す概略図。
【発明を実施するための形態】
【００２０】
以下、図面を参照して、本発明の実施形態における無線通信装置及び通信制御方法を説明する。
図１は、実施形態の無線通信システム１のシステム構成を示すシステム構成図である。
実施形態の無線通信システム１は、無線通信装置１０Ａ〜１０Ｃを備える。各無線通信装置は、ＣＳＭＡ／ＣＡを用いた無線通信によりデータ送信を行う。各無線通信端末では、無線通信に使用する周波数帯域が固定される。各無線通信端末に固定される周波数帯域を周波数チャネル（以下、「チャネル」という。）という。以下の説明では、説明を簡単にするために、特に区別しない限り、無線通信装置１０Ａ〜１０Ｃを無線通信装置１０と記載する。なお、無線通信システム１が備える無線通信装置１０の数は、図１と異なる数であってもよい。
【００２１】
図２は、無線通信装置１０が使用するチャネルの周波数帯域の具体例を示す図である。
図２において、横軸は周波数（チャネル）を示し、縦軸は電力を表す。図２では、チャネル１Ａ〜１Ｃの３つのチャネルが示されている。説明を簡単にするために、チャネル１Ａ〜１Ｃは、それぞれ、図１における無線通信装置１０Ａ〜１０Ｃが使用するチャネルであると仮定する。チャネル１Ａ〜１Ｃは、それぞれ、周波数ｆａ、ｆｂ及びｆｃを中心周波数とするチャネルである。
【００２２】
図２に示される各チャネルのうち、チャネル１Ａ及びチャネル１Ｃは、チャネル１Ｂとのみ周波数帯域が競合するのに対し、チャネル１Ｂは、チャネル１Ａ及びチャネル１Ｃの２つのチャネルと周波数帯域が競合する。このように、チャネルに使用される周波数帯域のうち、周波数帯域の下限方向又は上限方向の一方向側でのみ周波数帯域が競合する状況を、片側競合と呼ぶ。これに対して、周波数帯域の下限方向及び上限方向の両方向側で周波数帯域が競合する状況を、両側競合と呼ぶ。
【００２３】
このように、使用するチャネルの周波数帯域が競合する場合、各無線通信装置１０は、キャリアセンスによって、競合する他の無線通信装置１０がデータ送信を行っていないことを確認してデータの送信を行う。
【００２４】
図３は、無線通信装置１０のデータ送信における動作例を示す図である。
図３において、横軸は時間を示し、縦軸は周波数（チャネル）を示す。図３では、図１における無線通信装置１０Ａ及び無線通信装置１０Ｃの動作例が示されている。図２に示したように、無線通信装置１０Ａと無線通信装置１０Ｃとは、使用するチャネルの周波数帯域が競合しないため、それぞれ、任意のタイミングでデータ送信することができる。
【００２５】
図３において、無線通信装置１０Ａは、時刻ｔＡ１１及び時刻ｔＡ２１に送信機会を得て、それぞれ、時刻ｔＡ１２及び時刻ｔＡ２２までデータ送信を行っている。また、無線通信装置１０Ｃは、時刻ｔＣ１１、時刻ｔＣ２１及び時刻ｔＣ３１に送信機会を得て、それぞれ、時刻ｔＣ１２、時刻ｔＣ２２及び時刻ｔＣ３２までデータ送信を行っている。
【００２６】
このような状況において、無線通信装置１０Ｂが送信機会を得るためには、無線通信装置１０Ｂがバックオフ時間ＴＢの待機を終えたタイミングで、競合する他の無線通信装置１０がデータ送信を行っていないことが必要となる。具体的には、図３の例の場合、無線通信装置１０Ｂは、時刻ｔＡ１２及び時刻ｔＡ２１の間か、時刻ｔＡ２２及び時刻ｔＣ２１の間のタイミングにおいて送信機会を得る必要がある。
従来の無線通信システムでは、このように競合の状況が異なる場合であっても、無線通信装置１０は、共通のバックオフパラメータを用いてバックオフ時間ＴＢを決定していた。そのため、無線装置１０Ｂがデータの送信機会を得る確率は、無線通信装置１０Ａ及び無線通信１０Ｃが送信機会を得る確率に比べて低くなり、不公平を生じていた。
【００２７】
このような送信機会の不公平を抑制するために、実施形態の無線通信装置１０は、自装置が使用する周波数帯域と、他装置が使用する周波数帯域との競合の状況（以下、「競合状況」という。）に応じて、バックオフ時間ＴＢを制御する。
【００２８】
図４は、無線通信装置１０の機能構成を示す機能ブロック図である。
無線通信装置１０は、バスで接続されたＣＰＵ（Central Processing Unit）やメモリや補助記憶装置などを備え、通信制御プログラムを実行する。無線通信装置１０は、通信制御プログラムの実行によって受信部１１、復調部１２、外部通信インターフェース部１３、変調部１４、キャリアセンス部１５、バックオフ制御部１６及び送信部１７を備える装置として機能する。
なお、無線通信装置１０の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。通信制御プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。通信制御プログラムは、電気通信回線を介して送信されてもよい。
【００２９】
受信部１１は、無線通信装置１０に備えられているアンテナを介して無線信号を受信する。受信部１１は、受信した無線信号に対して増幅、フィルタリング、周波数変換などの信号処理を行う。受信部１１は、信号処理により得られた受信ベースバンド信号を復調部１２及びキャリアセンス部１５に出力する。
【００３０】
復調部１２は、受信部１１が出力する受信ベースバンド信号に対して復調、復号を行って受信データを取得する。復調部１２は、取得した受信データを外部通信インターフェース部１３に出力する。
【００３１】
外部通信インターフェース部１３は、復調部１２が出力する受信データを外部の装置に送信する。また、外部通信インターフェース部１３は、他の無線通信装置１０に送信すべき送信データを外部の装置から受信する。外部通信インターフェース部１３は、受信した送信データを変調部１４に出力する。
【００３２】
変調部１４は、外部通信インターフェース部１３が出力した送信データに対して符号化、変調を行って送信ベースバンド信号を生成する。変調部１４は、生成した送信ベースバンド信号を送信部１７に出力する。
【００３３】
キャリアセンス部１５は、定期的に、又はデータ送信時に、他装置が使用するチャネルを含めた全てのチャネルについてキャリアセンスを行う。そして、キャリアセンス部１５は、自装置が使用するチャネルの周波数帯域と、他装置が使用するチャネルの周波数帯域との競合状況を監視する。キャリアセンス部１５は、自装置が使用するチャネルの競合状況を、競合なし、片側競合及び両側競合の３種類に分類する。キャリアセンス部１５は、自装置が使用するチャネルの競合状況の分類をバックオフ制御部１６に出力する。
【００３４】
バックオフ制御部１６は、キャリアセンス部１５によって分類された自装置が使用するチャネルの競合状況に応じて、バックオフパラメータ（バックオフスロット長ＬＳ又はバックオフスロット数の最大値Ｃｍａｘ）の重み付けを行う。バックオフ制御部１６は、重み付けされたバックオフパラメータで、自装置に設定されているバックオフパラメータを更新する。バックオフパラメータの重み付けは、例えば、次の式１又は式２によって行われる。
【数１】
2015204552.tif 000003
【００３５】
式１は、バックオフスロット長ＬＳに対して重み付けを行う場合の式である。式１において、ＬＳ０は、重み付けを行う前のバックオフスロット長を表す。Ｗは、重みの値を表す。すなわち、重みＷがより大きな値を持つほど、バックオフスロット長ＬＳには、式１によってより短い時間が設定されることになる。そのため、この重み付けによって、対象の無線通信装置１０がデータの送信機会を得る確率が高まる。
【００３６】
式２は、バックオフスロット数の最大値Ｃｍａｘに対して重み付けを行う場合の式である。式２において、Ｃｍａｘ０は、重み付けを行う前のバックオフスロット数Ｃが取り得る値の最大値を表す。Ｗは、重みの値を表す。式２におけるＩＮＴ関数は、入力変数の整数部を抽出する関数を表す。すなわち、重みＷがより大きな値を持つほど、バックオフスロット数Ｃの最大値Ｃｍａｘには、式２によってより小さな値が設定されることになる。そのため、この重み付けによって、バックオフスロット数Ｃに、より小さな値が選択される確率が高まり、対象の無線通信装置１０がデータの送信機会を得る確率が高まる。
【００３７】
式１及び式２ともに、重みＷは、自装置が使用するチャネルの競合状況に応じて決定されるが、その決定方法については図５にて後述する。
【００３８】
送信部１７は、変調部１４が出力する送信ベースバンド信号を自装置が使用するチャネルの周波数に周波数変換して無線信号を生成する。送信部１７は、自装置が使用するチャネルがアイドル状態になると、バックオフパラメータに基づいて決定される時間の範囲からバックオフ時間を選択し、バックオフ時間を待機する。送信部１７は、バックオフ時間を待機した後、自装置が使用するチャネルがアイドル状態であれば、無線信号の送信機会を得る。送信部１７は、無線信号に対してフィルタリングや電力増幅を行ってアンテナから送出する。
【００３９】
図５は、チャネルの競合状況のパターンの具体例を示す図である。
図２の例に示したように、無線通信装置１０は、使用するチャネルの競合状況によってデータの送信機会に不公平が生じる。すなわち、競合あり（片側競合又は両側競合）の状況にある無線通信装置１０は、競合なしの状況にある無線通信装置１０よりもデータの送信機会を得にくい。また、両側競合の状況にある無線通信装置１０は、片側競合の状況にある無線通信装置１０よりもデータの送信機会を得にくい。また、図３の例に示したように、無線通信装置１０は、使用するチャネルの周波数帯域によってデータの送信機会に不公平が生じる。すなわち、低い周波数帯域のチャネルを使用する無線通信装置１０は、高い周波数帯域のチャネルを使用する無線通信装置１０よりもデータの送信機会を得にくい。
【００４０】
上記のような送信機会の不公平を解消するために、本実施形態では、無線通信装置１０は、競合状況を図５に示す３つのパターンに分類し、各パターンに応じてバックオフパラメータに重み付けを行う。１つ目のパターンは、チャネルの周波数帯域に競合がない場合であり、これをパターン１とする。２つ目のパターンは、自装置が使用するチャネルが、自装置よりも高い周波数帯域を使用するチャネルと片側競合する場合であり、これをパターン２とする。３つ目のパターンは、自装置が使用するチャネルが、自装置よりも高い周波数帯域を使用するチャネル、及び、自装置よりも低い周波数帯域を使用するチャネルと両側競合する場合であり、これをパターン３とする。なお、これらのパターンは、チャネルが使用する周波数帯域の競合状況によって、図５と異なるパターンに分類されてもよい。このように分類された３つの競合状況のパターンにおいて、無線通信装置１０は、パターン１、パターン２及びパターン３の順に、データの送信機会が得にくくなる。
【００４１】
実施形態の無線通信装置１０は、自装置が使用するチャネルの競合状況のパターンに応じて、バックオフパラメータに反映する重みを決定する。バックオフパラメータに反映される重みは、例えば次の式３によって得られる。
【数２】
2015204552.tif 000004
【００４２】
式３において、Ｗは重みの値を表す。ａは、使用するチャネルの周波数帯域の競合状況がパターン２である場合の重みを表す値である。ｂは、使用するチャネルの周波数帯域の競合状況がパターン３であるの場合の重みを表す値である。ａ及びｂはともに１よりも大きい値であり、ｂはａよりも大きい値である。式３によって、データの送信機会が得にくい無線通信装置１０の重みＷにはより大きな値が設定される。無線通信装置１０は、決定した重みを用いてバックオフパラメータの重み付けを行う。バックオフパラメータの重み付けは、例えば前述した式１又は式２によって行われる。
【００４３】
図６は、実施形態の無線通信装置１０の処理の流れを示すフローチャートである。
まず、無線通信装置１０のキャリアセンス部１５は、所定のタイミングにおいて、受信部１１によって受信された信号についてキャリアセンスを行う。このとき、キャリアセンス部１５は、他装置が使用するチャネルを含む全てのチャネルについてキャリアセンスを行う（ステップＳ１１）。なお、所定のタイミングは、定期的なタイミングであってもよし、データの送信が発生したタイミングであってもよい。
【００４４】
キャリアセンス部１５は、キャリアセンスの結果、自装置が使用するチャネルの周波数帯域と、他装置が使用するチャネルの周波数帯域との競合状況を判断する（ステップＳ１２）。具体的には、キャリアセンス部１５は、チャネルの周波数帯域の競合状況を、図５に示した３つのパターンのいずれかに分類する。キャリアセンス部１５は、競合状況を分類したパターンを表す情報をバックオフ制御部１６に出力する。
【００４５】
バックオフ制御部１６は、キャリアセンス部１５によって判断された競合状況を表すパターンに基づいて、バックオフパラメータに反映する重みＷを決定する（ステップＳ１３）。バックオフ制御部１６は、決定した重みＷを式１又は式２に適用することによって、重み付けがなされたバックオフパラメータを算出する（ステップＳ１４）。バックオフ制御部１６は、自装置に設定されているバックオフパラメータを算出された値で更新する（ステップＳ１５）。
【００４６】
例えば、ステップＳ１２において、競合状況がパターン１（競合なし）に分類された場合、バックオフ制御部１６は、式３に示されたように重みＷの値に“１”を選択する。重みＷに“１”が選択された場合、バックオフパラメータは、式１又は式２による重み付けの前後で変化しない。そのため、競合状況がパターン１（競合なし）に分類された場合、バックオフパラメータは、その時点の値が維持されることになる。
【００４７】
また、例えば、ステップＳ１２において、競合状況がパターン２（片側競合）に分類された場合、バックオフ制御部１６は、式３に示されたように重みＷの値に“ａ（１＜ａ＜ｂ）”を選択する。重みＷの値に“ａ”が選択された場合、バックオフパラメータは、式１又は式２によって、その時点の値よりも小さな値として算出される。そのため、更新後のバックオフパラメータによって決定されるバックオフ時間は、更新前のバックオフパラメータによって決定されるバックオフ時間よりも短くなる確率が高くなる。その結果、対象の無線通信端末１０は、データの送信機会がより多く得られる方向に制御される。
【００４８】
また、例えば、ステップＳ１２において、競合状況がパターン３（両側競合）に分類された場合、バックオフ制御部１６は、式３に示されたように重みＷの値に“ｂ（１＜ａ＜ｂ）”を選択する。重みＷの値に“ｂ”が選択された場合、バックオフパラメータは、式１又は式２によって、その時点の値よりも小さな値として算出される。そのため、更新後のバックオフパラメータによって決定されるバックオフ時間は、更新前のバックオフパラメータによって決定されるバックオフ時間よりも短くなる確率が高くなる。その結果、対象の無線通信端末１０は、データの送信機会がより多く得られる方向に制御される。
【００４９】
さらに、重みＷの値に“ｂ”が選択された場合、バックオフパラメータは、重みＷの値に“ａ”が選択された場合よりもさらに小さな値として算出される。そのため、競合状況がパターン３（両側競合）に分類された場合、対象の無線通信端末１０は、パターン２（片側競合）に分類された場合よりも、データの送信機会が多く得られる方向に制御される。
【００５０】
以上のように、本実施形態における無線通信装置１０は、自装置が使用するチャネルの周波数帯域の競合状況を判断し、競合状況に応じて自装置のバックオフパラメータを更新する。そのため、実施形態の無線通信システム１では、使用するチャネルの周波数帯域によって生じる無線通信１０のデータの送信機会の不公平性を抑制することが可能となる。
【００５１】
＜変形例＞
バックオフ制御部１６が行うバックオフパラメータの重み付けは、バックオフスロット長ＬＳ及びバックオフスロット数の最大値Ｃｍａｘ以外のパラメータに対して行われてもよい。例えば、バックオフスロット数の最大値Ｃｍｉｎに対して重み付けが行われてもよい。その場合、無線通信装置１０の競合状況において、競合が大きい場合にはＣｍｉｎがより小さい値となるように重み付けがされてもよい。
また、バックオフ制御部１６は、無線通信装置１０の競合状況に応じて、直接バックオフ時間を生成してもよい。
【００５２】
上述した実施形態における無線通信装置１０をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、更に前述した機能をコンピュータシステムに既に記録されているプログラムとの組み合わせで実現できるものであってもよく、ＰＬＤやＦＰＧＡ等のハードウェアを用いて実現されるものであってもよい。
【００５３】
以上、この発明の実施形態について図面を参照して詳述してきたが、具体的な構成はこの実施形態に限られるものではなく、この発明の要旨を逸脱しない範囲の設計等も含まれる。
【符号の説明】
【００５４】
１…無線通信システム
１０、１０Ａ、１０Ｂ、１０Ｃ…無線通信装置
１１…受信部
１２…復調部
１３…外部通信インターフェース部
１４…変調部
１５…キャリアセンス部
１６…バックオフ制御部
１７…送信部
【図１】
2015204552.tif 000005
【図２】
2015204552.tif 000006
【図３】
2015204552.tif 000007
【図４】
2015204552.tif 000008
【図５】
2015204552.tif 000009
【図６】
2015204552.tif 000010
【図７】
2015204552.tif 000011
【図８】
2015204552.tif 000012